(57)【要約】【課題】  カッターで切断された印刷済みの用紙等が、切断完了時に予想外の方向（特に下方向）に飛散する、あるいは、カッターの移動刃により下方に押さえられ、カッターの固定刃の下に入り込んだ場合でも確実に用紙などを排出できるプリンタの排紙機構を得る。【解決手段】  カッター３の固定刃３ａの下面に、カッターの移動刃３ｂが用紙を切断するため移動する時に、印刷済みのカッター３で切断された用紙等を排出する押し出し部材４を設けた。【選択図】  図２
2014076512.tif 000002
【特許請求の範囲】
【請求項１】
印刷された用紙をカッターで切断し排出するプリンタにおいて、前記カッターの固定刃の下部に移動可能に設けられ、常時は一端部が、前記固定刃の切断位置から排紙側に位置するように設置され、前記カッターの移動刃の移動時に、前記移動刃が当接して反排紙側に移動する押し出し部材を備えた事を特徴とするプリンタの排紙機構。
【請求項２】
押し出し部材を前記用紙を排紙方向へ付勢させる付勢部材を備えた事を特徴とする請求項１記載のプリンタの排紙機構。
【請求項３】
付勢部材はばねである事を特徴とする請求項２記載のプリンタの排紙機構。
【請求項４】
前記押し出し部材は回転支点にて前記用紙の排紙方向と水平方向に回転可能に支持され、一端部が前記固定刃の切断位置から排紙側に位置し、前記カッターの移動刃の移動時に前記移動刃が当接して反排紙側に回転移動し、他端部にて前記用紙を排紙方向へ移動させることを特徴とする請求項１記載のプリンタの排紙機構。
【請求項５】
前記カッターの移動刃は、回転式の移動刃を備えた事を特徴とする請求項１ないし請求項４のいずれかに記載のプリンタの排紙機構。
【発明の詳細な説明】
【技術分野】
【０００１】
本発明は、連続した印画紙に印刷を施した後、印刷された用紙を切断し排出するプリンタに関するものである。
【背景技術】
【０００２】
従来のプリンタの印刷済みの用紙を切断して排出する排紙機構は、印刷済みの用紙の先端を案内する構造を備えていた（例えば特許文献１参照）。
【０００３】
あるいは、印刷済みの用紙の切断後の排紙経路と切断片の排紙経路を分けて排出する機構を備えていた（例えば特許文献２参照）。
【先行技術文献】
【特許文献】
【０００４】
【特許文献１】特開２００３−３０５９１７号公報（第４−５頁、第３図）
【特許文献２】特開２００９−１７９０４０号公報（第５−１１頁、第３図）
【発明の概要】
【発明が解決しようとする課題】
【０００５】
従来のプリンタの印刷済みの用紙を切断して排出する排紙機構は、印刷済みの用紙の先端を案内するよう、プリンタの排紙口が斜め下方に傾いて配置するように構成させており、印刷済みの用紙がカットされた後に落下を導き易くし、印刷済みの用紙が静電気によりプリンタに付着する事が無いように構成されていた。
【０００６】
あるいは、プリンタに印刷済みの用紙の切断後の排出経路と切断片の排出経路を分けるような機構を設けていた。
【０００７】
しかし、印刷済みの用紙の切断後の挙動は、自由落下に委ねており、所定のサイズに切断された印刷済み用紙や余白部分の紙片の後端が、切断完了時に予想外の方向（特に下方向）に飛散する、あるいは、移動刃により下方に押さえられ、カッターの固定刃の下方に入り込み、引っ掛かり、排出出来ないという問題があった。
【課題を解決するための手段】
【０００８】
この発明に係わるプリンタの排紙機構においては、カッターの固定刃の下部に、一端が固定刃の切断位置から排紙側に位置するように移動可能に配置し、カッターの移動刃が用紙を切断するため移動する時に、移動刃が一端に当接することにより印刷済みの用紙を排出する押し出し部材を設けたものである。
【発明の効果】
【０００９】
この発明は、プリンタのカッターの固定刃の下面へ印刷済みの用紙を排出する押し出す部材を設けることにより、カッターで所定のサイズに切断された印刷済み用紙や紙片等が、切断完了時に予想外の方向（特に下方向）に飛散する、あるいは、カッターの移動刃により下方に押さえられ、カッターの固定刃の下方に入り込み、引っ掛かった用紙等を確実に排出することが出来る。これにより、プリンタの排紙口に引っ掛かった用紙や紙片が原因で発生するペーパージャムを防ぐことが出来る。
【図面の簡単な説明】
【００１０】
【図１】この発明の実施の形態１のカッターと排紙機構を示す斜視図である。
【図２】この発明の実施の形態１のカッターと排紙機構を示す断面図である。
【図３】この発明の実施の形態１の用紙切断前を側面から見た動作説明用の図である。
【図４】この発明の実施の形態１のカッターと用紙の位置を上側から見た動作説明用の図である。
【図５】この発明の実施の形態１のカッターと押し出し部材の位置を裏側から見た動作説明用の図である。
【図６】この発明の実施の形態１の用紙切断時を側面から見た動作説明用の図である。
【図７】この発明の実施の形態１の用紙切断後を側面から見た動作説明用の図である。
【図８】排紙口と用紙の経路を側面から見た動作説明用の図である。
【図９】切断時の用紙と移動刃および固定刃を側面から見た動作説明用の図である。
【図１０】切断後の用紙と移動刃および固定刃の状態を側面から見た動作説明用の図である。
【図１１】切断前の用紙と移動刃および固定刃を正面から見た動作説明用の図である。
【図１２】切断時の用紙と移動刃および固定刃を正面から見た動作説明用の図である。
【図１３】この発明の実施の形態２の用紙切断前の状態を裏面から見た動作説明用の図である。
【図１４】この発明の実施の形態２の用紙切断後の状態を裏面から見た動作説明用の図である。
【発明を実施するための形態】
【００１１】
実施の形態１．
図１は、この発明の実施の形態１のカッターと排紙機構を示す斜視図であり、図２は、その断面図を示すものであり、図３は、プリンタのカッター周辺とプリンタの排紙機構の用紙切断前の状態を側面から見た動作説明用の図である。
【００１２】
図１、図２および図３において、プリンタ本体１はこの発明のプリンタであり、１ａはプリンタ本体１の、印刷され切断済みの用紙を排出する排紙口である。印画用紙２はロール状に巻かれた用紙であり、プリンタ本体１の内部に回転自在に保持されており（印画用紙２の保持機構は図示せず）、プリンタ本体１内のサーマルヘッド（図示せず）により印刷されて排紙口１ａへ送られる（印画用紙２の搬送機構は図示せず）。２ａは印画用紙２の印刷済み部分、２ｄは印画用紙２の排紙方向の先端部である。
【００１３】
カッター３は印刷済みの用紙２ａを所定の寸法に切断するものであり、プリンタ本体１内に固定されている。３ａは印刷済み用紙２ａを切断時に下方より支える固定刃、３ｂは印刷済み用紙２ａの幅方向に移動できる移動刃であり、固定刃３ａに沿って移動刃３ｂが移動して印刷済み用紙２ａを幅方向に切断する（図４参照）。３ｃは移動刃３ｂの移動刃ホルダーである。
【００１４】
押し出し部材４はカッター３で切断された印刷済み用紙を排出する部材であり、固定刃３ａの下面（印刷済み用紙２ａの経路の反対側）に、印刷済み用紙２ａの排紙方向と平行方向に摺動自在に保持されている。押し出し部材４は、押し出し部材の先端部４ａが固定刃３ａの切断位置３ｄよりも印刷済み用紙２ａの排紙方向に、カッター３の移動刃３ｂの移動時に移動刃３ｂまたは移動刃ホルダー３ｃと接触する位置に設け、ばね５にて排紙方向に付勢されている（図５参照）。案内部材６は押し出し部材４を保持し案内するものである。
【００１５】
ベルト７は移動刃３ｂを印刷済み用紙２ａの幅方向に移動させるものである。モータ８はベルト７を駆動し、マイクロスイッチ９は移動刃３ｂの移動範囲を、印刷済み用紙２ａを切断するために必要な移動幅に制限するものであり、フレーム１０はカッターのフレームである。
【００１６】
図６は、プリンタのカッター周辺とプリンタの排紙機構の用紙切断時の状態を側面から見た動作説明用の図である。図６において、２ｂは印刷済みの用紙２ａをカッター３にて切断された切断済み用紙であり、２ｃは切断済み用紙２ｂの用紙排紙方向とは反対側の移動刃３ｂで切断された端面である。
【００１７】
このように構成されたプリンタの排紙機構は、用紙切断時（図６参照）に押し出し部材４が印刷済み用紙２ａの切断中に、移動刃３ｂあるいはカッター３の移動刃ホルダー３ｃが、押し出し部材の先端部４ａに当接し、印刷済み用紙２ｂの排紙方向とは反対側の方向に押されてばね５が縮み、排紙方向への反発力が蓄えられる。
【００１８】
印刷済み用紙２ａは切断中および切断後、移動刃３ｂにより切断済み用紙２ｂの端面２ｃが下方に押される。（この時の切断前の印刷済み用紙２ａの状態を側面から見た図を図８に、正面から見た図を図１１に、さらに、印刷済み用紙２ａの切断中の状態を側面から見た図を図９に、正面から見た図を図１２に示す。）
【００１９】
切断済み用紙２ｂは固定刃３ａの下方に入り込み印刷済み用紙２ｂの端面２ｃを、移動刃３ｂあるいはカッター３の移動刃ホルダー３ｃにより印刷済み用紙２ｂの排紙方向とは反対側の方向に押された時にばね５に蓄えられた反発力により押し出し部材４の先端部４ａによって排紙方向に押し出される（図７の用紙切断後の状態を側面から見た動作説明用の図を参照）。
【００２０】
従って、切断終了後に印刷済み用紙２ｂを確実に排出する事が出来るので、押し出し部材が無い場合に生じた切断された印刷済みの用紙２ｂが、移動刃３ｂあるいは切断時の衝撃でカッター３の固定刃３ａの下に入り込み、切断済み用紙２ｂの切断された端面２ｃと排紙口１ａの間で釣り合いが取れ、安定し排出されない状態（図１０参照）を解消でき、切断済みの用紙等が排紙口に残り発生するペーパージャムを防止することが出来る。
【００２１】
なお、上記説明では、押し出し部材をカッターの中心付近に一つ配置したが、プリンタの排紙構造によっては必ずしも中心に配置する必要はない。また、押し出し部材は複数個配置しても良い。
【００２２】
実施の形態２．
図１３は、この発明の実施の形態２のプリンタのカッター周辺と排紙機構の用紙切断前の状態を裏面から見たカッターと押し出し部材と排紙動作説明用の図であり、図１４は、用紙切断後の状態を裏面から見た動作説明用の図である。
【００２３】
図１３および図１４において、１０は押し出し部材であり固定刃３ａの下面に押し出し部材１０自身のほぼ中心を回転支点１０ｃで回転自在に配置されており、押し出し部材１０の片端１０ａまたはもう一方の片端１０ｂのどちらかの一端が常に固定刃３ａの切断位置から排紙方向側の、移動刃３ｂの移動時に接触する位置に設けられている。
【００２４】
このように構成されたプリンタの排紙機構は、印刷済みの用紙２ａをカッター３の移動刃３ｂが移動して切断する時、押し出し部材１０は移動刃３ｂまたはカッター３の移動刃ホルダー３ｃに当接し、固定刃３ａの切断位置３ｄより排紙側に位置している押し出し部材１０の片端１０ａの一端が押されることで押し出し部材１０は回転支点１０ｃを支点として図中反時計回りに回転してもう一方の片端１０ｂの一端が切断位置３ｄより排紙方向に出る。この時、印刷済み用紙２ｂを排紙方向に押し出す。
【００２５】
さらに、押し出し部材１０の片端１０ａの一端またはもう一方の片端１０ｂの一端のどちらかが常に固定刃３ａの切断位置３ｄより排紙側に出るように構成されているため、移動刃３ｂがどちらの方向に移動して切断しても固定刃３ａの下に入り込んだ印刷済み用紙２ｂを排紙方向に押し出し、確実に排出する事が出来る。
【００２６】
ところで、押し出し部材を排紙方向に付勢する手段として、ばねと押し出し部材自身の形状を説明したが、カッターの切断動作に応じて用紙を押し出すことのできる弾性を持つ材料（例えば、スポンジ状の弾性体）あるいは機械的な機構を設けても同様な効果を有する。
【符号の説明】
【００２７】
１  プリンタ本体
２  印刷用紙
３  カッター
３ａ  カッターの固定刃
３ｂ  カッターの移動刃
４  押し出し部材
５  ばね
６  案内部材
１０  押し出し部材
１０ｃ  回転支点
【図１】
2014076512.tif 000003
【図２】
2014076512.tif 000004
【図３】
2014076512.tif 000005
【図４】
2014076512.tif 000006
【図５】
2014076512.tif 000007
【図６】
2014076512.tif 000008
【図７】
2014076512.tif 000009
【図８】
2014076512.tif 000010
【図９】
2014076512.tif 000011
【図１０】
2014076512.tif 000012
【図１１】
2014076512.tif 000013
【図１２】
2014076512.tif 000014
【図１３】
2014076512.tif 000015
【図１４】
2014076512.tif 000016